(57)【要約】【課題】配電網によって供給される電気の相を測定及び決定する。【解決手段】伝送された電圧の相を決定する方法及びシステムが説明される。一実施形態では、配電システム（１２）は電圧及び注入信号（５８）を伝送するように動作することができる。このシステムは、さらに、電圧及び注入信号（５８）を受け取ることができる電力計（２２）を含むことができる。電力計（２２）は、受け取った電圧及び注入信号（５８）に基づいて受け取った電圧の相を決定することができる。【選択図】図１
2011242391.tif 000002
【特許請求の範囲】
【請求項１】
特定の時間（６０）に注入信号（５８）を生成し、電圧及び前記注入信号（５８）を伝送するように構成された配電所（１２）と、
前記電圧及び前記注入信号（５８）を受け取り、前記受け取った電圧と前記注入信号（５８）との関係に基づいて前記受け取った電圧の相（５２）を決定するように構成された相検出デバイス（２２）と
を備えるシステム。
【請求項２】
前記相検出デバイス（２２）が電力計を含む、請求項１記載のシステム。
【請求項３】
前記相検出デバイス（２２）が手持ち型計量装置を含む、請求項１記載のシステム。
【請求項４】
前記相検出デバイス（２２）が、前記注入信号（５８）と前記受け取った電圧の振動波との間の時間関係を決定することによって前記受け取った電圧の前記相（５２）を決定する、請求項１記載のシステム。
【請求項５】
前記相検出デバイス（２２）が、前記注入信号（５８）を受け取った後の測定期間の間に前記受け取った電圧の傾きの方向を決定することによって前記受け取った電圧の前記相（５２）を決定する、請求項１記載のシステム。
【請求項６】
前記配電所が、前記注入信号（５８）を生成するように構成された信号発生器（４２）を含む、請求項１記載のシステム。
【請求項７】
電力線（１４）を含み、前記配電所（１２）が、前記注入信号（５８）を、前記相検出デバイス（２２）に伝送するために前記電力線（１４）に移送するように構成されたトランス（４８）を含む、請求項６記載のシステム。
【請求項８】
前記相検出デバイス（２２）が、前記受け取った電圧の前記相を示す信号を前記配電所（１２）に伝送するように構成された送信機（３２）を含む、請求項１記載のシステム。
【請求項９】
前記送信機（３２）が、前記受け取った電圧の前記相を示す信号を前記配電所（１２）に無線で伝送するように構成された無線送信機を含む、請求項８記載のシステム。
【請求項１０】
電力計（２２）で３相のうちの１つの相（５２）の電圧を受け取るステップと、
前記電力計（２２）で注入信号（５８）を受け取るステップと、
前記受け取った電圧及び前記注入信号（５８）に基づいて前記電力計（２２）で前記電圧の相（５２）を決定するステップと
を含む方法。
【請求項１１】
前記注入信号（５８）を受け取った後に前記電圧を測定するステップと、
測定した伝送に基づいて前記電圧の前記相を示す信号を計算するステップと
を含む、請求項１０記載の方法。
【請求項１２】
前記電圧の前記相を示す前記信号を伝送するステップを含む、請求項１０記載の方法。
【請求項１３】
前記受け取った注入信号（５８）に基づいて前記電圧の供給源を決定するステップを含む、請求項１０記載の方法。
【発明の詳細な説明】
【技術分野】
【０００１】
本発明は、配電網によって供給される電気の相の測定及び決定に関する。
【背景技術】
【０００２】
現代の配電システムはユーザに３相電圧を送ることができる。すなわち、電力線は、たとえば、各々が電圧の特定の相として指定された複数の導体を含むことができる。さらに、電力線の負荷が平均化される（たとえば、３相変圧器の各々の相出力から引き出される電力の量が等しい）ように動作するように、配電システムを設定することができる。しかし、時間とともに、ユーザがネットワークに付加されたり、除去されたりすることがあり、それが相電流及び電圧流れに不均衡をもたらすことがある。すなわち、非常に少ないユーザしか第２及び／又は第３の相に接続されていないにもかかわらず、非常に多くのユーザが電圧の１つの相に接続されることがある。これにより、既存のインフラストラクチャが最適に利用されなくなるおそれがある。この負荷不均衡を克服する一方法は、たとえば、使用の非常に多い電圧の相から使用のより少ない電圧の相に顧客を移動させることによって負荷の再均衡化を行うことであろう。
【０００３】
しかし、ある電圧の相から別の電圧の相に顧客を移動させる際に問題がある。たとえば、顧客が配電ネットワークに追加されるとき、またそこから取り去られるとき、所与の電力線をネットワークまでコストをかけて物理的に（典型的には、現場で作業者によって）追跡することなしに、所与の顧客が接続されている電圧の相を確認することは困難な場合がある。すなわち、負荷不均衡は遠隔で検出することができるが、変電所からそれぞれのユーザの場所までの電力線を物理的に追跡することなしには、個別のユーザが接続されている相を容易に識別することができない場合がある。
【先行技術文献】
【特許文献】
【０００４】
【特許文献１】米国特許出願公開第２０１０／０１６４４７３号公報
【発明の概要】
【発明が解決しようとする課題】
【０００５】
したがって、様々な地点で受け取られている電圧相を物理的に決定するために１つ又は複数のユーザの地点に人を派遣することなしに、ユーザが接続されている電圧の相を確認することは有利であろう。
【課題を解決するための手段】
【０００６】
第１の実施形態では、システムは、特定の時間に注入信号を生成し、電圧及び注入信号を伝送するように構成された配電所と、電圧及び注入信号を受け取り、受け取った電圧と注入信号との関係に基づいて受け取った電圧の相を決定するように構成された相検出デバイスとを含む。
【０００７】
第２の実施形態では、システムは、３相のうちの１つの相の電圧を受け取り、電圧と共に注入信号を受け取り、受け取った電圧及び注入信号に基づいて電圧の相を決定するように構成された相検出デバイスを含む。
【０００８】
第３の実施形態では、方法は、電力計で３相のうちの１つの相の電圧を受け取るステップと、電力計で注入信号を受け取るステップと、受け取った電圧及び注入信号に基づいて電力計で電圧の相を決定するステップとを含む。
【０００９】
本発明のこれら及び他の特徴、態様、及び利点は、同様の符号が図面全体を通して同様の部分を表す添付図面を参照しながら以下の詳細な説明を読めば、一層よく理解されるであろう。
【図面の簡単な説明】
【００１０】
【図１】本発明の一実施形態による電力網のブロック図である。
【図２】本発明の一実施形態による、図１の電力網の相検出デバイスのブロック図である。
【図３】本発明の一実施形態による、図１の電力網の配電所のブロック図である。
【図４】本発明の一実施形態による、図３の配電所によって供給される電圧に関連する注入信号のグラフの図である。
【図５】本発明の一実施形態による、注入信号の相関ピーク、及び図３の配電所によって供給された３つの電圧相と注入信号の相関ピークの関係のグラフの図である。
【発明を実施するための形態】
【００１１】
出願当初に特許請求されている発明の範囲と等しいいくつかの実施形態が以下に概括される。これらの実施形態は請求する発明の範囲を限定するものではなく、むしろ、これらの実施形態は本発明の可能な形態の概要を単に提供するものである。実際には、本発明は、以下に記載する実施形態と同様である、又は異なることもあり得る様々な形態を包含することができる。
【００１２】
顧客が電力網においてどの電圧の相に接続されているかを識別する方法及びシステムが説明される。電力網中の１つ又は複数の電力線を使用して、電力線に沿って伝送される電圧と共に注入信号を伝送することができる。注入信号は、たとえば、電力網の配電用変電所で注入することができる。この注入信号は電力網の１つ又は複数の電力線によって移動することができ、たとえばユーザの住宅又は職場に、或いはたとえば単相配電変圧器に配置されている相検出デバイスで検出することができる。追加として、又は代替として、注入信号は、たとえば可搬の手持ち型計量装置によって検出され、その結果、伝送された電圧の個々の相は計器で受け取った注入信号に基づいて識別することができる。これは信号の測定及び処理を介して達成することができる。別の実施形態では、注入信号の周波数を利用して、注入信号を生成する場所、たとえば、所与の計器が電圧を受け取っている変電所を識別することができる。
【００１３】
図１は、配電所１２から電圧を供給するように動作することができる電力網１０を示す。配電所１２は、たとえば、電力網１０で伝送するための電圧を生成することができる１つ又は複数の発電機を含む発電所を含むことができる。追加として、又は代替として、ある電圧から別の電圧に電圧を変換する（たとえば、受け取った電圧を、たとえば１００，０００ボルトから１０，０００ボルト未満まで逓降する）ように動作する１つ又は複数の変圧器、及び／又は約１０，０００ボルトから約７，２００ボルトまで電圧を逓降し、さらに電圧を送るための１つ又は複数の配電バスとを含むことができる１つ又は複数の変電所を配電所は含むことができる。配電所１２は、さらに、たとえば１つ又は複数の電力線１４を介して配電ネットワーク１６に接続させることができる。
【００１４】
一実施形態では、電力線１４は、配電所１２から配電ネットワーク１６まで電圧を伝送するための複数の伝送経路を含むことができる。たとえば、電力線１４は、３相、たとえば相Ａ〜Ｃの電圧を伝送することができる。さらに、電力線１４は、電圧の３相、すなわち相Ａ〜Ｃを伝送するための経路に加えて接地線を含むことができる。３相電圧並びに接地信号は、追加として、配電ネットワーク１６に伝送することができる。
【００１５】
配電ネットワーク１６は３相電圧を複数のユーザに分配することができる。配電ネットワーク１６は、たとえば、１つ又は複数のタップ１８を含むことができる。１つ又は複数のタップは、電力線１４の１つ又は複数を、たとえば１つ又は複数のユーザが居住する岐路に分割するように動作することができる。したがって、タップ１８は、電圧相Ａ〜Ｃのうちの１つ又は複数をこの岐路のユーザに分割するように動作することができる。配電ネットワーク１６は、さらに、ユーザライン２０を含むことができる。ユーザライン２０は、電力線１４への直接接続として動作することができる。すなわち、各ユーザライン２０は、たとえば、約７２００ボルトから約２４０ボルトまで電圧を逓降するための変圧器ドラムを含むことができる。さらに、ユーザライン２０の各々は電圧の単相に接続することができることに留意されたい。すなわち、各ユーザライン２０は、相Ａ、相Ｂ、又は相Ｃの電圧に接続することができる。２４０ボルトの相Ａ、相Ｂ、又は相Ｃの電圧は、回路に接続されている計器２２Ａ〜２２Ｇをもつユーザに伝送することができる。
【００１６】
計器２２Ａ〜２２Ｇ（たとえば、相検出デバイス）の各々は、特定のユーザに伝送されて消費されるエネルギー量をモニタするように動作することができる。一実施形態では、計器２２Ａ〜２２Ｇのうちの１つ又は複数は、計器２２Ａ〜２２Ｇが所定の期間（１分単位、又は１時間単位など）にわたって特定の量の使用データを測定及び記録し、測定及び記録した情報を配電所１２に伝送することができるような先進計測インフラストラクチャ（ＡＭＩ）の一部とすることができる。別の実施形態では、計器２２Ａ〜２２Ｇによって、電力供給停止、電圧相情報、又は他のインフラストラクチャ情報などの追加情報を、評価のために配電所１２に伝送できるようになる。
【００１７】
図２は、計器２２Ａ〜２２Ｇのうちの任意のものを代表することができる計器２２のうちの１つのブロック図を示す。図示のように、計器２２は、センサ２４、信号変換回路２６、１つ又は複数のプロセッサ２８、記憶装置３０、及び通信回路３２を含むことができる。関連して、センサ２４、信号変換回路２６、１つ又は複数のプロセッサ２８、記憶装置３０、及び通信回路３２により、計器２２は、計器２２で受け取った電圧の相を示す信号を決定及び伝送することができるようになる。このように、計器２２は相検出デバイスとして動作することができる。追加として、又は代替として、計器２２で受け取った電圧の相を示す信号を決定及び伝送するのは、可搬の手持ち型計量装置によって行うことができる。一実施形態では、センサ２４は、ユーザライン２０から電流及び電圧を受け取って測定するための電気構成要素を含むことができる。上記のように、この電圧は、各々が互いに１２０度の位相外れである３相のうちの１つの相、すなわち相Ａ、相Ｂ、又は相Ｃとすることができる。センサ２４は検出した電圧及び／又は電流を信号変換回路２６への信号として伝送することができる。さらに、センサ２４は、計器２２で受け取った電圧に加えて注入信号を検出することができる。以下でより詳細に説明するように、注入信号は、計器２２において、受け取った電圧の相を決定するのを可能にすることができる。
【００１８】
さらに、信号変換回路２６が図２に示される。信号変換回路２６は、たとえば、センサ２４から受け取った信号の電圧を２４０ボルトから約５ボルト以下に変換するために電圧変換回路２６を含むことができる。さらに、電圧変換回路は、たとえば、センサ２４から受け取った信号（電圧信号又は注入信号など）を、１つ又は複数のプロセッサ２８によって処理するためにアナログ形態からデジタル信号に変換するための少なくとも１つのアナログ−デジタル変換器を含むことができる。
【００１９】
１つ又は複数のプロセッサ２８は計器２２に処理能力を与えることができる。１つ又は複数のプロセッサ２８は、１つ又は複数の「汎用」マイクロプロセッサ、１つ又は複数の専用マイクロプロセッサ、及び／又はＡＳＩＣＳなどの１つ又は複数のマイクロプロセッサ、又はそのような処理構成要素のいくつかの組合せを含むことができる。さらに、１つ又は複数のプロセッサ２８によって実行されるプログラム又は命令は、実行する命令又はルーチンを少なくとも一括して記憶する１つ又は複数の有形のコンピュータ可読媒体、たとえば、限定はしないが以下で説明する記憶デバイスなどを含む任意の好適な製品に記憶することができる。したがって、計器２２は、コンピュータプログラム製品（記憶装置３０など）上で符号化されたプログラムを含むことができ、そのプログラムは１つ又は複数のプロセッサ２８によって実行することができる命令を含み、たとえば受け取った注入信号に基づいて計器２２で受け取った電圧の相を決定することを含む様々な機能を計器２２が行えるようにすることができる。
【００２０】
１つ又は複数のプロセッサ２８によって処理されるべき命令及び／又はデータは記憶装置３０などのコンピュータ可読媒体に記憶することができる。記憶装置３０は、ランダムアクセスメモリ（ＲＡＭ）などの揮発性メモリ、及び／又は読取り専用メモリ（ＲＯＭ）などの不揮発性メモリを含むことができる。一実施形態では、記憶装置３０は、計器２２用ファームウェア（計器２２で実行することができる様々なプログラム、アプリケーション、又はルーチンなど）を記憶することができる。さらに、記憶装置３０は、計器２２の動作中バッファリング又はキャッシングするために使用することができる。記憶装置３０は、たとえば、フラッシュメモリ、ハードドライブ、又は任意の他の光、磁気、もしくは固体記憶媒体を含むことができる。また、記憶装置３０を使用し、最終的には通信回路３２を介して送信する情報を記憶することができる。
【００２１】
通信回路３２を利用して、計器２２からの情報を、たとえば配電所１２に伝送することができる。この情報は、たとえば、計器２２で受け取った電圧の相を示す１つ又は複数の信号、計器２２での電圧使用方法、及び／又は計器２２の動作に関連する他の情報を含むことができる。したがって、通信回路３２は、たとえば、配電所１２及び／又は他の計器（たとえば２２Ａ〜２２Ｇ）による情報を伝送及び受け取るためのトランシーバを含むことができる。通信回路３２は、代わりに、たとえば配電所１２及び／又は他の計器に情報を伝送することはできるが、情報を受け取らない送信機を含むことができる。通信回路３２は、情報の無線伝送及び／又は受信のための無線伝送及び／又はトランシーバ要素をさらに含むことができる。追加として、及び／又は代替として、通信回路３２は、モニタリングのためにたとえば配電所１２に物理的に結合することができる。伝送媒体には無関係に、通信回路３２を使用することにより、計器２２は、計器２２で受け取った電圧の相を含む収集情報を伝送することができるであろう。
【００２２】
図３は、所与のユーザに供給される電圧の相を決定するために計器２２と共に利用することができる配電所１２のブロック図である。配電所１２は電源３４を含むことができる。この電源は、上述のように、たとえば、発電機或いは１つ又は複数のトランジスタを含むことができる。相Ａの電圧は線路３６を介して伝送することができ、相Ｂの電圧は線路３８を介して伝送することができ、相Ｃの電圧は線路４０を介して伝送することができるように、電源３４は電力線１４を介して３相電圧を伝送するように動作することができる。一実施形態では、配電所１２は、追加の信号、たとえば高周波信号を線路３６、３８、及び４０のうちの１つ又は複数に注入するように動作することができる。この高周波信号は、約６００Ｈｚ、１ｋＨｚ、２ｋＨｚ、３ｋＨｚ、４ｋＨｚ、５ｋＨｚ、又はそれを超える発振信号とすることができる。一実施形態では、注入用の信号は信号発生器４２によって生成することができる。この生成された信号は、インダクタ４４及び４６を含むトランス４８を通して線路４０に結合することができる。トランス４８は、バイパススイッチ５０が開いている場合、注入信号を配電ネットワーク１６に伝送するために線路４０に導入するように動作することができる。代替として、バイパススイッチ５０が閉じている場合、信号は線路４０に注入されないことになる。このように、注入信号の注入のタイミング及び期間を制御することができる。
【００２３】
以下でより詳細に説明するように、注入信号は計器２２の各々によって利用され、各計器２２によって受け取られる電圧の相を決定することができる。さらに、配電所１２には多数の変電所が存在できるので、一実施形態では、各変電所は様々な特定周波数の信号を注入することができる。このようにして、注入信号が計器２２で受け取られると、受け取った注入信号の周波数に基づいて受け取った電圧の起点を確定することができる。たとえば、第１の変電所は約１ｋＨｚの周波数の１つ又は複数の信号を注入することができる。さらに、第２の変電所は、第１の変電所と異なる周波数、たとえば２ｋＨｚの第２の１つ又は複数の注入信号を注入することができる。計器２２は注入信号のうちの１つと共に電圧を受け取るので、計器２２は、受け取った注入信号の周波数（たとえば、１ｋＨｚ又は２ｋＨｚのいずれか）に基づいて、電圧を伝送した変電所を決定することができるであろう。この情報は、さらに、配電所１２に伝送可能とすることができる。
【００２４】
線路４０に注入された信号は、線路３６及び３８との相間結合があり得る。すなわち、注入信号は、単一の線路（たとえば線路４０）に最初に注入されたが、相間結合により他の線路（たとえば、線路３６及び３８）に存在するようになり得る。しかし、信号の注入の適切なタイミングによって、計器２２の各々は、線路３６、３８、及び４０の各々に存在する注入信号にかかわらず、どの電圧の相を受け取っているかを決定することができるであろう。
【００２５】
図４は、配電所１２によって供給される電圧に関連する注入信号のグラフである。計器２２の各々は、上述のように、相Ａの電圧５２、相Ｂの電圧５４、又は相Ｃの電圧５６のうちの１つの注入信号５８及び電圧の両方を受け取ることができる。一実施形態では、注入信号５８は、電圧相５２、５４、又は５６のうちの１つのピークで注入することができる。たとえば、注入信号５８は、相Ａの電圧５２がピークにあるとき、たとえば、期間６０中に、注入することができる。さらに、期間６０中、相Ｂの電圧５４は正の上向きであり（すなわち、電圧は正の値に増加している）、一方、相Ｃの電圧５６は負の下向きである（すなわち、電圧は負の値に増加している）。したがって、注入信号５８がたとえば電力線４０に導入されているとき、電圧の相５２、５４、及び５６の各々は異なる状態にある。すなわち、注入信号５８の時間ベース注入を利用して、電圧の相５２、５４、及び５６を決定することができる。
【００２６】
電圧が配電ネットワーク１６を通って流れると同時に、注入信号５８は電圧と共に伝送される。さらに、相間結合により、注入信号５８は電圧の各相５２、５４、及び５６と共に運ばれ得る。所与の計器、たとえば２２が伝送された電圧と共に注入信号５８を受け取ると、計器、たとえば２２は電圧の相を決定するように動作することができる。すなわち、各計器２２は、注入信号５６が計器２２で検出される時間から受け取った電圧の電圧特性をモニタすることができる。注入信号５６を受け取ったとき電圧の値がピークである場合、相検出デバイス２２は、受け取った電圧の相が相Ａの電圧５２であると決定することができる。しかし、電圧の値が傾きの正の方向に増加している場合（すなわち、注入信号５６を受け取ったとき、電圧が上昇している場合）、相検出デバイス２２は、受け取った電圧の相が相Ｂの電圧５４であると決定することができる。最後に、電圧の値が傾きの負の方向に減少している場合（すなわち、注入信号５６を受け取ったとき、電圧が低下している場合）、相検出デバイス２２は、受け取った電圧の相が相Ｃの電圧５６であると決定することができる。すなわち、注入信号５８が検出された時間における測定電圧の波形特性（たとえば、注入信号５８と正弦波などの振動波との関係）に基づいて、及び／又は注入信号を受け取った後に受け取った測定電圧に基づいて、計器２２は受け取った電圧の相を決定することができる。次に、この情報を記憶装置３０にログインすることができ、通信回路３２を介して伝送することができる。
【００２７】
図５は、相計器２２Ａ〜２２Ｇの群の各々で受け取った電圧の相を検出するための第２の技法のグラフである。この技法は、配電用変電所１２から線路３６、３８、及び４０に、高周波電圧波形、すなわち注入信号を同時に伝送することを含むことができる。一実施形態では、注入信号は、高周波基準電圧、たとえば、約４００Ｈｚ、５００Ｈｚ、６００Ｈｚ、１ｋＨｚ、２ｋＨｚ、又はそれを超える搬送波周波数に関して変調した基準電圧とすることができる。さらに、変調は、注入信号が所与の期間に鋭い最大値をもつ相関関数を有するように選択することができる。たとえば、この期間は１６．７ｍｓごと（すなわち６０Ｈｚのサイクル）又は１６．７ｍｓの整数倍とすることができる。
【００２８】
図５で分かるように、時刻６８、７０、及び７２で生じる注入信号の相関ピークは相Ａの電圧５２に関してグラフ６２に表され（すなわち、電力線３６に注入された注入信号）、注入信号の相関ピークは相Ｂの電圧５４に関してグラフ６４に表され（すなわち、電力線３８に注入された注入信号）、注入信号の相関ピークは相Ｃの電圧５６に関してグラフ６６に表される（すなわち、電力線４０に注入された注入信号）。上記のように、注入信号が、所与の期間で、たとえば周期Ｔ（たとえば、Ｔは約１６．７ｍｓとすることができる）ごとに鋭い最大値の相関関数を有するように注入信号は選択されていた可能性がある。
【００２９】
グラフ６２、６４、及び６６に示すように、注入信号は相Ａの電圧５２、相Ｂの電圧５４、又は相Ｃの電圧５６に同時に伝送されるので、３つの電圧相の電圧波形は相関ピーク６８、７０、及び７２の各々に関して位相シフトされ得る。計器がどの相に接続されているかを決定するために、注入信号が電圧波形に存在していると予想されるとき、計器の電圧波形は信号変換２６によってデジタル化される。これは、計器及び配電所１２の両方が分かっているスケジュールに従うことができる。次に、デジタル化波形は電圧波形の基本周波数、米国では一般に６０Ｈｚを除去するためにフィルタ処理することができる。フィルタは、たとえばデジタル高域通過フィルタ又は帯域除去フィルタとすることができる。次に、フィルタ処理済み波形は、配電ネットワーク１６の各計器２２Ａ〜２２Ｇに記憶することができる注入信号のレプリカと相関を取ることができる。相関は、たとえばスライドウィンドウ相関器によって行うことができ、それによって、注入信号のレプリカは、フィルタ処理済み波形に対して相関ステップごとに時間が進められる。相関の結果から局所的最大値を探すことができ、それにより、注入波形のレプリカとセンサ２４が受け取った波形との間のタイミング一致を示すことができる。
【００３０】
相関ピーク、たとえば相関ピーク６８が見いだされると、相電圧信号のゼロ交差を定量することができる。相電圧が負の値から正の値への中間点７０を横切るとき、ゼロ交差を測定することができる。たとえば、ゼロ交差はグラフ６２ではポイント７６に示され、ゼロ交差はグラフ６４ではポイント７８に示され、ゼロ交差はグラフ６６ではポイント８０に示される。次に、計器、たとえば計器２２Ａは、ゼロ交差、たとえばポイント７６と相関ピーク、たとえば相関ピーク６８との間の時間差、たとえば時間差８２、時間差８４、又は時間差８６を決定することができる。ゼロ交差（ポイント７６、７８、又は８０）と相関ピーク（たとえば相関ピーク６８）との間の時間差（たとえば時間差８２、時間差８４、又は時間差８６）から、計器、たとえば２２Ａがどの相に接続されているかを決定することができる。すなわち、計算した時間差８２、８４、及び８６は、所与の相関ピーク、たとえば相関ピーク６８に対して、相Ａの電圧５２、相Ｂの電圧５４、又は相Ｃの電圧５６にそれぞれ対応することができる。次に、この結果、すなわち電圧の相は、たとえば配電所１２に伝送して戻すことができる。
【００３１】
グラフ６２、６４及び６６にグラフで示した技法を利用して、受け取った電圧の相を識別するのは、スケジュールに従って行うことができることが想定される。たとえば、そのプロセスは様々な計器２２Ａ〜２２Ｇによって毎日、毎週、毎月、毎年単位で行うことができる。追加として、又は代替として、そのプロセスは、配電所１２でユーザによって、又は現場のユーザによって（たとえば、計器２２Ａ〜２２Ｇのうちの１つの場所のその場で）実行され得る。さらに、配電ネットワーク１６の各計器２２Ａ〜２２Ｇに記憶されている前に説明した注入信号のレプリカは計器２２Ａ〜２２Ｇの各々で生成することもできることが想定される。たとえば、計器２２Ａ〜２２Ｇの各々は、たとえば、Ｇｏｌａｙ補対を形成する数列によって供給される低マルチトーン波高率数列、Ｔｈｕｅ−Ｍｏｒｓｅ数列（通常の２進カウンタの内容のｍｏｄ−２和として定義することができる）のセグメント、又はＴｈｕｅ−Ｍｏｒｓｅ数列のセグメントに関連する非２進数列に比例する電圧波形を利用してレプリカを生成することができる。注入信号のレプリカを生成する際、相関ピーク、たとえば６８を見いだすことができ、注入信号に対するゼロ交差（たとえば、ポイント７６、７８、又は８０）は、計器、たとえば２２Ａがどの相に接続されているかを決定するために時間差８２、時間差８４、又は時間差８６を計算することができるように決定することができる。
【００３２】
本明細書は実例を使用して、最良の形態を含む本発明を開示し、かつ任意のデバイス又はシステムを製作及び使用すること、並びに任意の組み込んだ方法を実行することを含めて当業者が本発明を実施できるようにしている。本発明の特許の範囲は特許請求の範囲によって規定され、当業者が思いつく他の実例を含むことができる。他のそのような実例は、特許請求の範囲の文字どおりの意味と異ならない構造要素を有する場合、又は特許請求の範囲の文字どおりの意味と実質的に差のない均等構造要素を含む場合、特許請求の範囲の範囲内にあるものである。
【符号の説明】
【００３３】
１０  電力網
１２  配電所
１４  電力線
１６  配電ネットワーク
１８  タップ
２０  ユーザライン
２２Ａ、２２Ｂ、２２Ｃ、２２Ｄ、２２Ｅ、２２Ｆ、２２Ｇ  計器、相検出デバイス、電力計
２４  センサ
２６  変換回路
２８  プロセッサ
３０  記憶装置
３２  通信回路
３４  電源
３６、３８、４０  線路
４２  信号発生器
４４、４６  インダクタ
４８  トランス
５０  バイパススイッチ
５２  相Ａの電圧
５４  相Ｂの電圧
５６  相Ｃの電圧
５８  注入信号
６０  期間
６２、６４、６６  グラフ
６８、７０、７２  相関ピーク
７４  中間点
７６、７８、８０  ポイント
８２、８４、８６  時間差
【図１】
2011242391.tif 000003
【図２】
2011242391.tif 000004
【図３】
2011242391.tif 000005
【図４】
2011242391.tif 000006
【図５】
2011242391.tif 000007